【手続補正書】
【提出日】平成28年11月28日(2016.11.28)
【手続補正１】
【補正対象書類名】特許請求の範囲
【補正対象項目名】全文
【補正方法】変更
【補正の内容】
【特許請求の範囲】
【請求項１】
包囲された空間を画定する物品を共に形成する、小面積面を形成する対向した側壁、大面積面を形成する対向した側壁及び対向した端壁と、
前記小面積面と端壁に形成された、前記物品を分離する分離線と、
を備える手荷物ケースであって、
前記分離線の第１の部分が、前記対向する大面積面の１つに近接する位置を、対向する小面積面の第１の部分に沿って延び、前記分離線はまた、前記小面積面の間に位置する前記対向する端壁の対応する１つに沿っても延び、
前記分離線の第２の部分が、前記対向する小面積面の第２の部分に沿って、前記対向する大面積面の前記１つから離れる方向でかつ前記対向する大面積面のもう１つに向かって延び、
前記分離線の第１の部分と前記分離線の第２の部分とは、２つの異なる方向に延び、
少なくとも１つの支持要素が前記対向する端壁のもう一方と動作可能に結合されている、手荷物ケース。
【請求項２】
前記分離線の第２の部分は、前記少なくとも１つの支持要素の少なくとも一部分の周りに延び、前記少なくとも１つの支持要素を、前記分離線の第２の部分に関して前記対向する大面積面の前記１つの側に配置する、請求項１に記載の手荷物ケース。
【請求項３】
前記分離線の第２の部分は、前記少なくとも１つの支持要素の少なくとも一部の周りに延び、前記少なくとも１つの支持要素を、前記対向する大面積面のもう一方の側に配置する、請求項１に記載の手荷物ケース。
【請求項４】
前記分離線の第２の部分は前記端壁のもう一方を横断して延び、
前記端壁のもう一方には少なくとも２つの支持要素が取り付けられ、かつ
前記分離線の第２の部分が前記少なくとも２つの支持要素の間を通過する、請求項１に記載の手荷物ケース。
【請求項５】
前記少なくとも２つの支持要素はそれぞれ脚支持要素であり、前記脚支持要素のそれぞれは前記分離線の対向する側に取り付けられている、請求項４に記載の手荷物ケース。
【請求項６】
前記分離線の第１の部分は前記手荷物ケースのかなりの高さに沿って延び、かつ前記第２の部分は前記第１の部分よりも深い蓋の深さを画定する、請求項１に記載の手荷物ケース。
【請求項７】
前記対向する端壁の前記１つは前記手荷物ケースの上面を画定し、かつ前記対向する端面の前記もう１つは前記手荷物ケースの底面を画定する、請求項６に記載の手荷物ケース。
【請求項８】
前記第１の部分は前記ケースの高さの８０パーセントより長く延びる、請求項６に記載の手荷物ケース。
【請求項９】
前記対向する端壁の前記１つは前記手荷物ケースの上面を画定し、かつ前記対向する端壁の前記もう１つは前記手荷物ケースの底面を画定する、請求項８に記載の手荷物ケース。
【請求項１０】
前記第１の部分の前記分離線は、前記対向する大面積面の前記もう１つに対して実質的に平行である、請求項１に記載の手荷物ケース。
【請求項１１】
前記第１の部分の前記分離線は、前記対向する大面積面の前記１つに対して実質的に平行である、請求項１に記載の手荷物ケース。
【請求項１２】
蓋は、前記分離線の第１の部分では、前記第２の部分よりも深くない、請求項１に記載の手荷物ケース。
【請求項１３】
前記第１の部分から前記第２の部分への遷移領域は明確な遷移部を画定する、請求項１２に記載の手荷物ケース。
【請求項１４】
前記遷移部は別々の角度又は曲線のいずれかである、請求項１３に記載の手荷物ケース。
【請求項１５】
前記分離線の第２の部分は、前記小面積面の前記第２の部分を横断し、かつ前記対向する端壁の前記もう１つを横断して延びる、請求項１に記載の手荷物ケース。
【請求項１６】
前記分離線の第２の部分は、前記小面積面と前記対向する端壁のもう１つとの間の共通端部に対して、前記対向する端壁のもう１つに斜めに交差する請求項１５に記載の手荷物ケース。
【請求項１７】
前記支持要素は前記対向する端壁のもう１つに動作可能に結合された少なくとも２つの回転車輪を備える、請求項１に記載の手荷物ケース。
【請求項１８】
ベースに動作的に連結された蓋を備え、前記蓋と前記ベースが前記蓋と前記ベースのそれぞれの外縁の当接端に沿って封止線を画定する手荷物ケースにおいて、
前記封止線は、前記手荷物ケースの上側部分に沿って前記蓋の第１の深さと前記ベースの第１の深さを画定し、前記封止線は更に前記手荷物ケースの下側部分に沿って前記蓋の第２の深さと前記ベースの第２の深さを画定し、
前記蓋の第１の深さは、前記ベースの第１の深さよりも浅く、
前記蓋の第２の深さは、前記蓋の第１の深さよりも大きく、
複数の車輪が前記ベースの下側部分に連結されており、
前記複数の車輪が第１の複数の回転車輪を備え、前記手荷物ケースは前面、背面、上面、底面、左面及び右面を備え、前記第１の複数の回転車輪は前記底面に結合され、前記封止線は前記左面と前記右面のそれぞれに沿って、前記複数の回転車輪の回りを進む、手荷物ケース。
【請求項１９】
前記手荷物ケースは、上半分と下半分とを含み、前記手荷物ケースの下部分には前記手荷物ケースの上半分のいかなる部分も含まれない、請求項１８に記載の手荷物ケース。
【請求項２０】
前記複数の車輪の少なくとも一部は回転車輪である、請求項１８に記載の手荷物ケース。
【請求項２１】
前記封止線は更に、前記手荷物ケースの第３の部分に前記蓋の第３の深さと前記ベースの第３の深さを画定し、前記封止線は前記底面に対して直角に前記手荷物ケースの底面と交差する、請求項１８に記載の手荷物ケース。
【請求項２２】
前記封止線は、前記底面上を対向する前記前面と背面から等距離に横断して延び、
前記複数の回転車輪のそれぞれは、前記底面と、隣接する左面又は右面のいずれかと前面、あるいは隣接する左面又は右面のいずれかと背面、との交差により画定されるコーナーのそれぞれに取り付けられている、請求項１８に記載の手荷物ケース。
【請求項２３】
包囲された容積と外部構造を画定する複数の面を備え、前記外部構造は分離線に沿って蓋とベースに分割され、前記外部構造は手荷物ケースの高さに沿って少なくとも上側部分と遷移部分とを有するハードカバーの手荷物ケースであって、
第１の回転車輪が前記外部構造の底面の前記蓋に連結され、第２の回転車輪が前記底面の前記ベースに連結され、前記分離線は、前記第１の回転車輪と前記第２の回転車輪の間を、前記上側部分から前記遷移部分を通って前記底面まで延び、
前記遷移部分において前記ベースの深さは、前記上側部分における前記ベースの深さから、前記手荷物ケースの複数の面の内の１つにおけるベースの深さへ向かって漸減し、かつ前記遷移部分の前記蓋の深さは、前記手荷物ケースの前記１つの面の蓋の深さから前記上側部分の蓋の深さへ漸減する、ハードカバー手荷物ケース。
【請求項２４】
前記外部構造は更に、前記手荷物ケースの高さ沿いに下側部分を含み、前記下側部分における前記蓋と前記ベースのそれぞれの深さは実質的に一定であって、前記手荷物ケースの前記底面における前記蓋と前記ベースのそれぞれの深さと同じである、請求項２３に記載のハードカバー手荷物ケース。
【請求項２５】
前記上側部分の前記ベースの深さと、前記上側部分の前記蓋の深さとの比は、約８０：２０である、請求項２３に記載のハードカバー手荷物ケース。
【請求項２６】
包囲された空間を画定する物品を共に形成する、小面積面を形成する対向した側壁、大面積面を形成する対向した側壁及び対向した端壁と、
前記小面積面と端壁に形成された、前記物品を分離する分離線と、
を備える手荷物ケースであって、
前記分離線の第１の部分が、前記対向する大面積面の１つに近接する位置を、対向する小面積面の第１の部分に沿って延び、前記分離線はまた、前記小面積面の間に位置する前記対向する端壁の対応する１つに沿っても延び、
前記分離線の第２の部分が、前記対向する小面積面の第２の部分に沿って、前記対向する大面積面の前記１つから離れる方向でかつ前記対向する大面積面のもう１つに向かって延び、
前記分離線の前記第１の部分と前記分離線の前記第２の部分とは、２つの異なる方向に延び、
前記対向する端壁の１つに動作可能に結合し、前記対向する端壁の１つの前記手荷物ケースの長手軸が通る位置に配置されたハンドルを備える、手荷物ケース。
【請求項２７】
前記対向する端壁の前記１つは前記手荷物ケースの上面を画定し、かつ前記対向する端壁のもう１つは前記手荷物ケースの底面を画定する、請求項２６に記載の手荷物ケース。
【請求項２８】
包囲された空間を画定する物品を共に形成する、小面積面を形成する対向した側壁、大面積面を形成する対向した側壁及び対向した端壁と、
前記小面積面と端壁に形成された、前記物品を分離する分離線と、
を備える手荷物ケースであって、
前記分離線の第１の部分が、前記対向する大面積面の１つに近接する位置を、対向する小面積面の第１の部分に沿って第１の方向に延び、前記分離線はまた、前記小面積面の間に位置する前記対向する端壁の対応する１つに沿っても延び、
前記分離線の第２の部分が、前記対向する小面積面の第２の部分に沿って、前記対向する大面積面の前記１つから離れる第２の方向でかつ前記対向する大面積面のもう１つに向かって延び、
前記分離線の第３の部分が、前記対向する小面積面の第３の部分に沿って、前記第２の方向から離れる第３の方向に延び、
前記対向する端壁の前記もう１つと動作可能に結合し、前記分離線の前記第３の部分に近接して配置された、少なくとも１つの支持要素を備える、手荷物ケース。
【請求項２９】
前記分離線の前記第３の部分は、前記手荷物ケースの全体の高さの０〜３０パーセントを占める、請求項２８に記載の手荷物ケース。
【請求項３０】
前記対向する端壁の前記１つは前記手荷物ケースの上面を画定し、かつ前記対向する端面の前記もう１つは前記手荷物ケースの底面を画定する、請求項２８に記載の手荷物ケース。
【請求項３１】
前記分離線の前記第１の部分と前記第２の部分が出会う位置が前記分離線の遷移部分であって、前記遷移部分の上端は前記手荷物ケースの底面から前記手荷物ケースの高さの５％から４０％の間の位置にある、請求項１に記載の手荷物ケース。